(57)【要約】  【課題】  しばしば使用される外部機器との接続ケーブルを接続するための補助入出力端子を専用に設ける。  【解決手段】  本体１の背面の外周寄りの位置に補助入出力端子５を配置したことを特徴とする。すなわち、本体１の背面に各種ケーブルを接続するための主となる複数の入出力端子３を配設し、該主入出力端子３の上方を着脱自在の端子カバーにより覆った薄型表示装置において、前記主入出力端子３の配置位置と異なる背面の右側面端部寄りまたは左側面端部寄りの位置に、挿抜方向を画面と平行かつ本体外側から内側に向けて補助入出力端子５を配置する。【選択図】  図３
2005354636.tif 000002
【特許請求の範囲】
【請求項１】
薄型表示装置本体の外周近傍に、該薄型表示装置の外周に向かう方向を端子の挿抜方向とする外部入出力端子を設けたことを特徴とする薄型表示装置。
【請求項２】
薄型表示装置本体の外周近傍に、該薄型表示装置の表示面に略平行で、且つ外周に向かう方向を端子の挿抜方向とする外部入出力端子を設けたことを特徴とする薄型表示装置。
【請求項３】
薄型表示装置の背面の外周近傍に、該薄型表示装置の外周に向かう方向を端子の挿抜方向とする外部入出力端子を設けたことを特徴とする薄型表示装置。
【請求項４】
薄型表示装置の背面の外周近傍に、該薄型表示装置の表示面に略平行で、且つ外周に向かう方向を端子の挿抜方向とする外部入出力端子を設けたことを特徴とする薄型表示装置。
【請求項５】
薄型表示装置の本体背面の右側面端部寄りまたは左側面端部寄りの位置に、該薄型表示装置の表示面に略平行で、且つ外周に向かう方向を端子の挿抜方向とする外部入出力端子を設けたことを特徴とする薄型表示装置。
【請求項６】
薄型表示装置の背面に各種ケーブルを接続するための主となる複数の入出力端子を配設した薄型表示装置において、
前記主入出力端子の配置位置と異なり、且つ前記薄型表示装置本体の外周近傍に、該薄型表示装置の表示面に略平行で、且つ外周に向かう方向を端子の挿抜方向とする補助入出力端子を設けたことを特徴とする薄型表示装置。
【請求項７】
薄型表示装置の背面に各種ケーブルを接続するための主となる複数の入出力端子を配設し、該主入出力端子の上方を着脱自在の端子カバーにより覆った薄型表示装置において、
前記主入出力端子の配置位置と異なり、且つ前記薄型表示装置本体の外周近傍に、該薄型表示装置の表示面に略平行で、且つ外周に向かう方向を端子の挿抜方向とする補助入出力端子を設けたことを特徴とする薄型表示装置。
【請求項８】
薄型表示装置の背面に各種ケーブルを接続するための主となる複数の入出力端子を配設し、該主入出力端子の上方を着脱自在の端子カバーにより覆った薄型表示装置において、
前記主入出力端子の配置位置と異なり、且つ外周に向かう方向を端子の挿抜方向とする補助入出力端子を設けたことを特徴とする薄型表示装置。
【発明の詳細な説明】
【技術分野】
【０００１】
本発明は、液晶テレビ等の薄型表示装置に関し、詳しくは本体背面に側面側からの抜き差しを可能にした入出力端子を備えた薄型表示装置に関する。
【背景技術】
【０００２】
従来、定位置に設置されて使用される比較的大型な液晶テレビ等の薄型表示装置では、各種アンテナケーブル、電源ケーブル、ビデオテープレコーダやＤＶＤ・ＨＤＤビデオレコーダ等との接続ケーブルを接続する場合に、本体背面に配置された入出力端子に各ケーブルを接続していた。また、これらのケーブルを接続した後、各ケーブルがバラバラになって見苦しくならないように結束バンド等で束ねるとともに、入出力端子部分に埃等が堆積したり異物が浸入したりしないように、端子カバーで覆っていた。なお、テレビジョン受像機の背面に入出力端子を配置したものとして、特許文献１に記載のものがある。
【特許文献１】特開平１１−０９８４３７号公報
【発明の開示】
【発明が解決しようとする課題】
【０００３】
ところで、家庭に設置されたテレビは、本来のテレビ放送を受信して視聴する以外に、ゲーム機のモニター画面としたり、ビデオカメラやデジタルカメラで撮影した画像を再生したりするために使用されることがあった。その場合も、テレビ本体と外部機器をケーブルで接続しなければならず、入出力端子がテレビ本体の背面にあると、ケーブルの接続や取り外しの作業が、手の入りにくい狭い空間であったり、目視確認がしずらい場所であったりして、面倒な作業であった。そこで、その対策として、テレビ前面の画面下方の部分に、入出力端子を備えた機種が出現した。この機種は、テレビ前面の部分でケーブルの接続や取り外しができるため、作業性の点では優れていた。しかしながら、テレビ前面のしかも画面の近くに、入出力端子が配置されると、そこへケーブルを接続した場合はもちろん、ケーブルが接続されていない状態でも、美観上好ましいものではなかった。特に、画面サイズが大型のテレビでは、テレビの正面の外観が重厚にまとめられているため、入出力端子の配置は、違和感があり、好ましいものではなかった。そこで、本発明は、画面が配置されている正面の美観を損なうことなく、かつケーブルの接続作業が容易な入出力端子を備えた薄型表示装置を提案することを目的とした。
【課題を解決するための手段】
【０００４】
上記課題を解決するために、本発明は、薄型表示装置本体の外周近傍に、該薄型表示装置の外周に向かう方向を端子の挿抜方向とする外部入出力端子を設けたことを特徴とする。
また、本発明は、薄型表示装置本体の外周近傍に、該薄型表示装置の表示面に略平行で、且つ外周に向かう方向を端子の挿抜方向とする外部入出力端子を設けたことを特徴とする。
また、本発明は、薄型表示装置の背面の外周近傍に、該薄型表示装置の外周に向かう方向を端子の挿抜方向とする外部入出力端子を設けたことを特徴とする。
また、本発明は、薄型表示装置の背面の外周近傍に、該薄型表示装置の表示面に略平行で、且つ外周に向かう方向を端子の挿抜方向とする外部入出力端子を設けたことを特徴とする。
また、本発明は、薄型表示装置の本体背面の右側面端部寄りまたは左側面端部寄りの位置に、該薄型表示装置の表示面に略平行で、且つ外周に向かう方向を端子の挿抜方向とする外部入出力端子を設けたことを特徴とする。
また、本発明は、薄型表示装置の背面に各種ケーブルを接続するための主となる複数の入出力端子を配設した薄型表示装置において、前記主入出力端子の配置位置と異なり、且つ前記薄型表示装置本体の外周近傍に、該薄型表示装置の表示面に略平行で、且つ外周に向かう方向を端子の挿抜方向とする補助入出力端子を設けたことを特徴とする。
また、本発明は、薄型表示装置の背面に各種ケーブルを接続するための主となる複数の入出力端子を配設し、該主入出力端子の上方を着脱自在の端子カバーにより覆った薄型表示装置において、前記主入出力端子の配置位置と異なり、且つ前記薄型表示装置本体の外周近傍に、該薄型表示装置の表示面に略平行で、且つ外周に向かう方向を端子の挿抜方向とする補助入出力端子を設けたことを特徴とする。
さらに、本発明は、薄型表示装置の背面に各種ケーブルを接続するための主となる複数の入出力端子を配設し、該主入出力端子の上方を着脱自在の端子カバーにより覆った薄型表示装置において、前記主入出力端子の配置位置と異なり、且つ外周に向かう方向を端子の挿抜方向とする補助入出力端子を設けたことを特徴とする。
【発明の効果】
【０００５】
以上述べたように本発明によれば、薄型表示装置の背面の外周近傍に、該薄型表示装置の外周に向かう方向を端子の挿抜方向とする外部入出力端子を配置したことで、入出力端子へのケーブル接続作業が容易になるとともに、入出力端子部分が前方から見えないため、美観が損ねられることが解消される。また、その外部入出力端子は、薄型表示装置の背面に端子カバーに覆われた位置に設けられた主となる外部入出力端子とは別に、また別の位置に端子カバーを設けずに配置されることで、ゲーム機、ビデオカメラ、デジタルカメラ等をすぐ接続して遊びたい場合や記録内容を確認したい場合には、簡単にすばやく接続することが可能となり使い勝手の良い薄型表示装置を提供することができる。
【発明を実施するための最良の形態】
【０００６】
以下、図に基づいて本発明の実施形態を液晶テレビに適用した場合に関し説明する。
図１、２は液晶テレビの概観図を表し、図３は本体背面の斜視図であり、図４は背面図である。図１、２において、１００は画像表示を行う液晶パネル、１０１は前キャビネット、１０２は後ろキャビネット、１０３は液晶テレビ本体の操作ボタン類、１０４はスピーカー、１０５はスタンドを表す。図３、４において、１は液晶テレビ、２は後キャビネット、３は入出力端子、４はスタンド取付部、５は補助入出力端子である。本発明に係る液晶テレビ１は、テレビジョン放送信号を受信するアンテナを通して受信されたテレビジョン放送信号を映像検波し、映像信号および音声信号を出力する受信部と、放送信号以外に外部から所定の映像音声情報を入力するための外部入力端子３や、補助入出力端子５や外部メモリ用スロットなどで構成される外部情報入力部とを有し、この放送信号と外部から入力された映像音声情報とのいずれかを表示等するために選択するための切替部によって、表示あるいは音声出力するべき映像信号及び音声信号の選択がなされ、映像信号は映像処理部へ音声信号は音声処理部で伝達される。
【０００７】
こうして、映像処理部及び音声処理部で信号処理された映像及び音声情報はそれぞれ表示部（液晶パネル）に表示され、スピーカー等の音声出力手段に出力される。このとき、液晶パネルの背面部では、バックライト装置が点灯されているため、液晶パネルの表示が前方から視認可能になる。本実施形態の説明のように液晶テレビ１の入力信号源としては、アンテナ入力を含めた外部入力端子３入力と補助入出力端子５入力と外部メモリ用スロット入力があった場合、例えばデジタルカメラの撮影内容をすぐに確認したい場合や、パソコン（PC）を持ち込んで液晶テレビ１をPCモニタとして使いたい場合など他の機器をすぐに繋ぎたい場合などは補助入出力端子５が便利であり、補助入出力端子５が接続された場合には即液晶パネル１００に表示されるようにそれぞれの入力部に優先度を設定することで、さらに使い勝手の良い液晶テレビ１を提供することができる。これは、液晶テレビ１のシステムを制御するマイコンが各入力を監視し補助入出力端子５に入力が有った場合には切替部が「補助入出力端子５」を選択するように制御することで、容易に可能である。
【０００８】
次に、図３、４をもとに液晶テレビ１の筺体（キャビネット）、特に背面部に関しさらに詳しく説明する。液晶テレビ１の背面は、プラスチックからなるキャビネット２に覆われている。このキャビネット２の左端部には、左下から左中央にかけてＬ字形に外側が一段低い段差が形成されている。この段差の左側の壁部分に、上下２列に入出力端子３が配置されている。この入出力端子３に、図示されていないが、各種アンテナケーブル、電源ケーブル、ビデオデッキ等との接続ケーブルが接続される。これらのケーブルは、通常、液晶テレビ１が設置されるときに、入出力端子３に挿入接続され、それらのケーブルはまとめて、背面中央下部のスタンド取付部４のところから下方へ引き出される。
【０００９】
同様に、キャビネット２の右端部にも、右下から右中央にかけて逆Ｌ字形に段差が形成されて、その段差の右側の壁部分に、図示されていないが上下２列に入出力端子が配置されている。その入出力端子には、同様に、液晶テレビ１の設置時に各種ケーブルが接続され、それらのケーブルはまとめて、背面中央下部のスタンド取付部４を経由して下方へ引き出され、スタンド１０５背部で前述の背面左側からのケーブルとともに結束された後それぞれアンテナ接栓や外部機器に接続される。これら左右に配置された入出力端子３等へのケーブルの接続は、最初のテレビ設置時に接続されると、その後はほとんど、ケーブルを外したり入れ換えたりされることがないため、入出力端子３等の部分に埃が堆積したり、異物が浸入しないように、左右１対のプラスチック製の端子カバー（図示せず）を、キャビネット２の左右のＬ字形の段差部にそれぞれ嵌着して、入出力端子３等の上方を覆うように構成されている。
【００１０】
ここで、本発明に係る液晶テレビ１は、しばしば接続と取り外しが行われることが想定される、ゲーム機、ビデオカメラ、デジタルカメラ等からのケーブルを接続するための入出力端子を、前記入出力端子３等とは別に設けた。すなわち、キャビネット２の左端上部であって、入出力端子３の上方の位置に、内側に後退して壁部を設け、そこへ４個の補助入出力端子５を配設した。この補助入出力端子５は、液晶テレビ１の左端に近いため、手の挿入も容易であるし、補助入出力端子５そのものの目視確認も可能であるので、ケーブルの接続、取り外しの作業を容易に行うことが可能である。
【００１１】
また、補助入出力端子５へ接続されたケーブル（図示せず）は、補助入出力端子５の位置からそのまま下方へ垂らして、液晶テレビ１の下端からゲーム機等へ引き回すようにすることで、ケーブルを接続したことに関しての液晶テレビ１の正面からの美観が大きく損なわれることはない。なお、補助入出力端子５へのケーブルの接続は、しばしば行われることが想定されるため、上部を覆う端子カバーは、取り付けられていない。
【００１２】
また、図示例では、補助入出力端子５を、液晶テレビ１の背面の左端近くの上部に設けたが、設置位置はこの位置に限定されるものではない。すなわち、液晶テレビ１の背面の左端の下部であってもよいし、右端であってもよいし、さらには上端や下端に配置することも可能である。その場合、液晶テレビ１が壁面に近づけて設置されることが多いため、補助入出力端子５の挿抜方向は、画面と平行でかつ外側から内側に向けた方向とすることが好ましい。また、場合によっては液晶テレビ１の上下左右の側面も可能であるが、美観を損ねない配慮が必要でもあり、例えば前記上下左右の側面に角度を持たせて液晶テレビ１の前方からは補助入出力端子５が見えないようにする方法や、少なくとも補助入出力端子５に接続の無い場合は端子自体が前記上下左右の側面からは突出しないような配慮が必要である。
【００１３】
なお、この液晶テレビ１は、図３および図４に示された液晶テレビ１の本体に、スピーカーユニットが増設される。すなわち、サイドスピーカータイプの場合は左右両端に、アンダースピーカータイプの場合は下端に、それぞれスピーカーユニットが取り付けられて、それぞれのスピーカー部分に音声信号の出力ケーブルが前述の入出力端子３から引き出されて接続される。また、この液晶テレビ１は、設置方式によって、スタンド支持式と壁掛け式とがあり、スタンド支持式の場合は中央下端のスタンド取付部４にスタンド（図示せず）が締結される。
【００１４】
壁掛け式の場合は、スタンド取付部４の上方であってキャビネット２の略中央部分に正方形状に等間隔で配設された４個の取付穴６に壁掛け金具（図示せず）が取り付けられて壁に設置される。補助入出力端子５が背面にあることから、例えば、リモコンや液晶テレビ１本体に「補助入出力」ボタンやメニューの中に「補助入出力」メニューを設けることで、それを選択したときに画面上の補助入出力端子５のある方向をＯＳＤにてユーザーに知らせたり、キャビネット側面の補助入出力端子５近傍にマークをペイントしておくことで、ユーザーが補助入出力端子５のある位置が分かるような方法も可能である。
【産業上の利用可能性】
【００１５】
本発明は、液晶テレビ以外には、ＰＤＰテレビ等の他の表示方式の薄型表示装置に利用可能である。
【図面の簡単な説明】
【００１６】
【図１】本発明を液晶テレビに適用した場合の斜め前上方から見た外観図である。
【図２】図１を斜め下後方から見た外観図である。
【図３】本発明を液晶テレビに適用した場合の本体背面の斜視図である。
【図４】図３の背面図である。
【符号の説明】
【００１７】
１  液晶テレビ
２  キャビネット
３  入出力端子
４  スタンド取付部
５  補助入出力端子
６  取付穴
１００  液晶パネル
１０１  前キャビネット
１０２  後ろキャビネット
１０３  操作ボタン類
１０４  スピーカー 
１０５  スタンド
【図１】
2005354636.tif 000003
【図２】
2005354636.tif 000004
【図３】
2005354636.tif 000005
【図４】
2005354636.tif 000006